(57)【要約】【課題】濾過効果が高く、一定時間の使用後、濾過層のみを取り出してリサイクルすることができ、カートリッジフィルタ全体を廃棄する必要がない濾過機のカートリッジフィルタを提供すること。【解決手段】管体１と、管体１に螺合される上蓋２及び下蓋３を含み、管体１の内部に異なる素材の濾過層１３，１４，１５が収容され、上蓋２及び下蓋３に入水口２１及び出水口３１がそれぞれ設けられ、上蓋２及び下蓋３の内面に、異なる種類の濾過材４，５，６を嵌置するための凹嵌槽２２，３２が設けられ、入水口２１から進入した水が、濾過材４，５，６及び濾過層１３，１４，１５を通過して出水口３１から排出され、上蓋２及び下蓋３を取り外し、濾過層１３，１４，１５を取り出してリサイクル可能とする。【選択図】図３
0003183898.tif 000002
【実用新案登録請求の範囲】
【請求項１】
管体と、前記管体に螺合される上蓋及び下蓋を含み、前記管体内部に異なる素材の濾過層が収容され、前記上蓋及び前記下蓋に入水口及び出水口がそれぞれ設けられ、かつ前記上蓋及び前記下蓋の内面に、異なる種類の濾過材を嵌置するための凹嵌槽が設けられ、前記上蓋の入水口から進入した水が、前記濾過材及び前記濾過層を通過し濾過されて、前記下蓋の出水口から排出され、一定時間の使用後、前記上蓋及び前記下蓋を取り外し、前記管体内の濾過層を取り出してリサイクル可能としたことを特徴とする、濾過機のカートリッジフィルタ。
【請求項２】
前記上蓋及び前記下蓋の周方向に設けた凹嵌槽が、前記上蓋及び前記下蓋の内面より大径の段部を形成すると共に、段部の先端側にこれより大径の凹槽を形成して成り、濾過材を前記段部に配置し、Ｃ字形リングを前記凹槽に設置して濾過材を位置決めしてあることを特徴とする、請求項１に記載の濾過機のカートリッジフィルタ。
【請求項３】
前記管体内に設けた濾過層が砂であることを特徴とする、請求項１に記載の濾過機のカートリッジフィルタ。
【請求項４】
前記管体内に設けた濾過層が遠赤外線を発する環境に配慮した材料であることを特徴とする、請求項１に記載の濾過機のカートリッジフィルタ。
【請求項５】
前記管体の上端及び下端にそれぞれ雄ねじが設けられ、前記上蓋及び前記下蓋の開口部周縁に、前記管体の雄ねじに螺合する雌ねじがそれぞれ設けられたことを特徴とする、請求項１に記載の濾過機のカートリッジフィルタ。
【考案の詳細な説明】
【技術分野】
【０００１】
本考案は、濾過効果を高めることができ、一定時間の使用後、濾過層を取り出してリサイクルでき、カートリッジフィルタ全体を廃棄する必要がなく、環境保護に寄与する濾過機のカートリッジフィルタに関する。
【背景技術】
【０００２】
一般的な濾過機に使用されるカートリッジフィルタは、通常、密閉状の管体を有し、管体に出入水口が形成され、かつ管体内に各種濾過材が配置され、水が前記濾過材を通過することにより異物や細菌を濾過することができる。
ところが、従来のカートリッジフィルタは一定時間の使用後、存在する汚染源が多くなりすぎて濾過効果が失われるため、使用者は汚れたカートリッジフィルタを廃棄して新しいものに交換するが、これでは材料の無駄を招くだけでなく、環境保護の要求も満たすことができない。
【考案の概要】
【考案が解決しようとする課題】
【０００３】
本考案が解決しようとする課題は、濾過効果を高め、一定時間の使用後、濾過層のみを取り出してリサイクルすることができ、カートリッジフィルタ全体を廃棄する必要がなく、環境保護に寄与する、濾過機のカートリッジフィルタを提供することにある。
【課題を解決するための手段】
【０００４】
本考案の濾過機のカートリッジフィルタは、管体と、前記管体に螺合される上蓋及び下蓋を含み、前記管体内部に異なる素材の濾過層が収容され、前記上蓋及び前記下蓋に入水口及び出水口がそれぞれ設けられ、かつ内面に異なる種類の濾過材を嵌置するための凹嵌槽が設けられ、前記上蓋の入水口から進入した水が、前記濾過材及び前記濾過層を通過し濾過されて、前記下蓋の出水口から排出され、一定時間の使用後、前記上蓋及び前記下蓋を取り外し、前記管体内の濾過層を取り出してリサイクル可能とする。
【０００５】
前記上蓋及び前記下蓋の周方向に設けた凹嵌槽が、前記上蓋及び前記下蓋の内面より大径の段部を形成すると共に、段部の先端側にこれより大径の凹槽を形成して成り、濾過材を前記段部に配置し、Ｃ字形リングを前記凹槽に設置して濾過材を位置決めしてもよい。
前記管体内に設けた濾過層は、砂、或いは、遠赤外線を発する環境に配慮した材料とするのが望ましい。
前記管体の上端及び下端にそれぞれ雄ねじが設けられ、前記上蓋及び前記下蓋の開口部周縁に、前記管体の雄ねじに螺合する雌ねじがそれぞれ設けられることがある。
【考案の効果】
【０００６】
本考案の濾過機のカートリッジフィルタによれば、異なる素材の濾過層を収容した管体に、管体の上下端に螺合され、かつ異なる濾過材を配置した上下蓋を組み合わせることで、カートリッジフィルタによる水の濾過効果を高めると共に、一定時間の使用後、濾過層を取り出してリサイクルでき、カートリッジフィルタ全体を廃棄する必要がなく、環境を保護するという目的を達することができる。
【図面の簡単な説明】
【０００７】
【図１】本考案の実施例を示す濾過機のカートリッジフィルタの斜視図である。
【図２】本考案の実施例を示す濾過機のカートリッジフィルタの分解斜視図である。
【図３】本考案の実施例を示す濾過機のカートリッジフィルタの断面図である。
【図４】本考案の実施例を示す濾過機のカートリッジフィルタの使用状態における断面図である。
【考案を実施するための形態】
【０００８】
以下、本考案の実施例を図面に基づいて詳細に説明する。図１は濾過機のカートリッジフィルタの斜視図であり、図２は濾過機のカートリッジフィルタの分解斜視図である。
図１及び図２に示すように、本考案の濾過機のカートリッジフィルタは、管体１と、管体１に螺合される上蓋２及び下蓋３を含む。
管体１の上下端にはそれぞれ雄ねじ１１、１２が設けられ、管体１の内部に異なる素材の濾過層１３、１４、１５が配置される。本実施例において、濾過層１３、１４、１５は、砂、遠赤外線を発する環境保護に配慮した材料等を選択して用いることができ、リサイクル処理に適している。
【０００９】
上蓋２には入水口２１が、下蓋３には出水口３１がそれぞれ設けられる。
また、上蓋２及び下蓋３の側壁内面に凹嵌槽２２、３２が周方向に沿って設けられ、異なる種類の濾過材４、５、６を凹嵌槽２２、３２に嵌置することができる。本実施例において、濾過材４、５、６を凹嵌槽２２、３２に配置した後、弾性を備えたＣ字形リング７を凹嵌槽２２、３２に設置して、濾過材４、５、６を位置決めする。
さらに、上蓋２及び下蓋３は開口部周縁にそれぞれ雌ねじ２３、３３が設けられ、管体１の雄ねじ１１、１２に螺合することができる。
【００１０】
図３に示すように、上蓋２及び下蓋３の周方向に設けた凹嵌槽２２、３２は、上蓋２及び下蓋３の内面にやや大径の段部を形成すると共に、段部の先端側にこれよりやや大径の凹槽２２１、３２１を形成して成る。そして、濾過材４、５、６を段部に配置した後、Ｃ字形リング７を凹槽２２１、３２１に設置して（工具でＣ字形リング７を挟み内側に縮ませて、凹槽２２１、３２１の位置に入れた後、再度それを外側に向かって広げ、凹槽２２１、３２１に係止させる）、濾過材４、５、６を位置決めすることで、濾過材４、５、６がぐらついたり脱落したりすることがない。
【００１１】
図４に示すように、本考案の濾過機のカートリッジフィルタは濾過機に組み込んで使用される。水が上蓋２の入水口２１から進入すると、濾過材４、５、６を経由してまず水中の異物が濾過され、さらに異なる素材の濾過層１３、１４、１５を経由して水中の細菌が濾過され、濾過効果が高められる。さらに下に向かって下蓋３の濾過材４、５、６を経由し、濾過層１３、１４、１５が引き起こす可能性のある濾過材の異物が濾過される。
一定時間の使用後、上蓋２及び下蓋３を取り外し、管体１内の濾過層１３、１４、１５を取り出してリサイクルでき、カートリッジフィルタ全体を廃棄する必要がなく、環境を保護するという目的を達することができる。
【００１２】
以上は、本考案の最良の実施例を説明するためのものであり、本考案の権利範囲を限定するものではなく、本考案の要旨を逸脱しない若干の修飾や変更はすべて本考案の権利範囲に含まれる。
【符号の説明】
【００１３】
１        管体
１１      雄ねじ
１２      雄ねじ
１３      濾過層
１４      濾過層
１５      濾過層
２        上蓋
２１      入水口
２２      凹嵌槽
２２１    凹槽
２３      雌ねじ
３        下蓋
３１      出水口
３２      凹嵌槽
３３      雌ねじ
３２１    凹槽
４、５、６    濾過材
７        Ｃ字形リング
【図１】
0003183898.tif 000003
【図２】
0003183898.tif 000004
【図３】
0003183898.tif 000005
【図４】
0003183898.tif 000006